(57)【要約】【課題】  トレイを最前進させたときに傾かせることなく静音状態で確実に停止させること。【解決手段】  ローダーシャーシ１の両側板部１ａに一体形成した弾性変位可能な弾性板２９の根元部から延びる本体が前進ａ方向に向かって互いに接近するように傾斜して平面視略ハ字状に形成され、トレイ２の両側縁後端に一体突設した各突起片２８の弾性板対向面が弾性板２９の本体に沿って傾斜状に形成されており、トレイオープン時に、トレイ２を前進ａさせ、各突起片２８の傾斜状弾性板対向面を各弾性板２９の本体に当接させて、該トレイ２を最前進位置で停止させる。【選択図】        図２
2008130145.tif 000002
【特許請求の範囲】
【請求項１】
ローダーシャーシの両側板部間にディスク載置用トレイが前後進可能に配置され、ター
ンテーブルと光ピックアップとを搭載したドライブシャーシがローダーシャーシ内に上下
動可能に配置され、該ドライブシャーシとローダーシャーシの前部に前後進方向とは直交
する左右方向に沿ってスライド可能に配置したカムスライダとがカム機構を介して連動連
結され、前記カムスライダに突設したガイドピンがトレイの裏面に形成したガイド溝に移
動可能に係合され、前記トレイの両側縁後端に一体突設した一対の突起片と、該各突起片
に対向してローダーシャーシの各側板部の前端に一体突設した一対の停止手段とからなる
トレイ停止機構が設けられており、プレイモードで、ターンテーブルにより高速回転させ
たディスクに記録されている情報を光ピックアップにより読み取り、トレイオープン時に
、前記スライドカムを左右一方向にスライドさせてカム機構を介してドライブシャーシを
下動させた後、前記トレイを前進させ、各突起片を各停止手段に当接させて、該トレイを
最前進位置で停止させるようにしたディスク装置において、前記各停止手段が、根元部を
ローダーシャーシの各側板部に一体形成した弾性変位可能な弾性板からなり、該各弾性板
の根元部から延びる本体が前進方向に向かって互いに接近するように傾斜して平面視略ハ
字状に形成され、前記各突起片の弾性板対向面が弾性板の本体に沿って傾斜状に形成され
、トレイの両側縁後端の前記突起片よりも後進側に一体突設した一対の後端片と、該各後
端片に対向してローダーシャーシの各側板部の各弾性板よりも後進側に一体突設した一対
のストッパ片とからなる非常停止機構が設けられており、トレイオープン時に、前記トレ
イを前進させ、各突起片の傾斜状弾性板対向面を各弾性板の本体に当接させて、該トレイ
を最前進位置で停止させ、そのトレイが最前進停止位置からさらに前進しようとしたとき
に、各後端片が各ストッパ片に当接されて、該トレイの前進を阻止するようにしたことを
特徴とするディスク装置。
【請求項２】
ローダーシャーシの両側板部間にディスク載置用トレイが前後進可能に配置され、ター
ンテーブルと光ピックアップとを搭載したドライブシャーシがローダーシャーシ内に上下
動可能に配置され、該ドライブシャーシとローダーシャーシの前部に前後進方向とは直交
する左右方向に沿ってスライド可能に配置したカムスライダとがカム機構を介して連動連
結され、前記カムスライダに突設したガイドピンがトレイの裏面に形成したガイド溝に移
動可能に係合され、前記トレイの両側縁後端に一体突設した一対の突起片と、該各突起片
に対向してローダーシャーシの各側板部の前端に一体突設した一対の停止手段とからなる
トレイ停止機構が設けられており、プレイモードで、ターンテーブルにより高速回転させ
たディスクに記録されている情報を光ピックアップにより読み取り、トレイオープン時に
、前記スライドカムを左右一方向にスライドさせてカム機構を介してドライブシャーシを
下動させた後、前記トレイを前進させ、各突起片を各停止手段に当接させて、該トレイを
最前進位置で停止させるようにしたディスク装置において、前記各停止手段が、根元部を
ローダーシャーシの各側板部に一体形成した弾性変位可能な弾性板からなり、該各弾性板
の根元部から延びる本体が前進方向に向かって互いに接近するように傾斜して平面視略ハ
字状に形成され、前記各突起片の弾性板対向面が弾性板の本体に沿って傾斜状に形成され
ており、トレイオープン時に、前記トレイを前進させ、各突起片の傾斜状弾性板対向面を
各弾性板の本体に当接させて、該トレイを最前進位置で停止させるようにしたことを特徴
とするディスク装置。
【請求項３】
前記トレイが最前進停止位置からさらに前進しようとしたときに、その前進を阻止する
非常停止機構が設けられていることを特徴とする請求項２に記載のディスク装置。
【請求項４】
前記非常停止機構が、トレイの両側縁後端の前記突起片よりも後進側に一体突設した一
対の後端片と、該各後端片に対向してローダーシャーシの各側板部の各弾性板よりも後進
側に一体突設した一対のストッパ片とからなり、前記トレイが最前進停止位置からさらに
前進しようとしたときに、各後端片が各ストッパ片に当接されて、該トレイの前進を阻止
するようにしたことを特徴とする請求項３に記載のディスク装置。
【請求項５】
前記非常停止機構が、前記ガイド溝の後端に対向してトレイの裏面に突設した支軸を中
心に回動可能で先端をガイド溝の側面に当接させることによりその支軸回りで後進方向に
回動不能で前進方向にのみ回動可能な逆止弁を有しており、トレイ装着時にトレイの後端
をローダーシャーシの前部に嵌入させて後進側に押し込んだときに前記ガイドピンにより
逆止弁を前進方向に押して該トレイの後進が許容され、前記トレイが最前進停止位置から
さらに前進しようとしたときに、ガイドピンに逆止弁が当接されて、トレイの前進を阻止
するようにしたことを特徴とする請求項３に記載のディスク装置。
【請求項６】
前記非常停止機構が、前記ガイド溝の後端を閉鎖する閉鎖板と、ガイド溝の後端近傍か
ら分岐して後進方向に延びる分岐溝とを有しており、トレイ装着時にトレイの後端をロー
ダーシャーシの前部に嵌入させて後進側に押し込むことによりガイドピンが分岐溝を通っ
てガイド溝内に導入され、前記トレイが最前進停止位置からさらに前進しようとしたとき
に、ガイドピンに閉鎖板が当接されて、トレイの前進を阻止するようにしたことを特徴と
する請求項３に記載のディスク装置。
【発明の詳細な説明】
【技術分野】
【０００１】
本発明は、例えばＤＶＤプレーヤやＤＶＤレコーダなどのディスク装置に関し、特に、
トレイを最前進させたときに傾かせることなく静音状態で確実に停止させることができる
ようにしたものである。
【背景技術】
【０００２】
従来、ディスク装置の一例として図１３〜図１５に示すものがあり、図１３は同プレイ
モード状態を示す平面図、図１４は同トレイオープン状態を示す一部切欠き平面図、図１
５（ａ）は同トレイ最前進直前状態の要部の拡大平面図、図１５（ｂ）は同トレイ最前進
状態の要部の拡大平面図、図１５（ｃ）は同要部の分解斜視図である。
【０００３】
図１３及び図１４に示すように、これはＤＶＤプレーヤであって、合成樹脂製ローダー
シャーシ１の両側板部１ａ間にディスクＤ載置用トレイ２が前後進ａ，ｂ可能に配置され
、ターンテーブル３付きスピンドルモータ４とディスクＤの半径方向に移動可能な対物レ
ンズＯＬ付き光ピックアップ５とを搭載したドライブシャーシ６がローダーシャーシ１内
に枢支軸７を介して上下動可能に配置され、ローダーシャーシ１の前部にカムスライダ８
が前後進ａ，ｂ方向とは直交する左右方向ｃ，ｄに沿ってスライド可能に配置され、該カ
ムスライダ８に形成したカム溝９ａと、ドライブシャーシ６の前端に突設されてカム溝９
ａに嵌入するカムピン９ｂとからなるカム機構９により、そのカムスライダ８とドライブ
シャーシ６とが連動連結され、カムスライダ８の上面にガイドピン１０と補助ガイドピン
１１とが一体突設され、そのガイドピン１０に対向してトレイ２の裏面にガイド溝１２を
形成するガイド板１２Ａが前後進ａ，ｂ方向に沿ってほぼ全長にわたって一体突設され、
その補助ガイドピン１１に対向してトレイ２の裏面前部に補助ガイド溝１３を形成する補
助ガイド板１３Ａが一体突設されている。
【０００４】
図１４に示すように、トレイ２を最前進状態位置で停止させるためのトレイ停止機構１
５が設けられており、この例では、そのトレイ停止機構１５として、トレイ２の両側縁後
端に一体突設した一対の突起片１６と、該各突起片１６に対向してローダーシャーシ１の
各側板部１ａの前端から後進ｂ方向に向かって延びるＬ字片（停止手段）１７とが用いら
れ、図１５に示すように、突起片１６の前端面１６ａとＬ字片１７の後端面１７ａとが互
いに対向されている。
【０００５】
図１４中、１９はフィードモータ（図示せず）により正逆回転される第１ピニオンであ
って、光ピックアップ５のラック２０に噛合して、該光ピックアップ５をディスクＤの半
径方向に沿って往復移動させる。２１はフィードモータ（図示せず）によりギヤ機構（図
示せず）を介して正逆回転される第２ピニオンであって、カムスライダ８の一端に突設し
たラック２２に噛合して、該カムスライダ８を左右方向ｃ，ｄに往復させる。２３は第２
ピニオン２１と同心状に一体形成した第３ピニオンであって、トレイ２の裏面に一体形成
したラック２４に噛合して、該トレイ２を前後進ａ，ｂさせる。図１３中、２５はローダ
ーシャーシ１の両側板部１ａ間に架設した横桁２６の中央部に一定範囲内上下動可能に嵌
合させたクランパであって、ターンテーブル３とでディスクＤをクランプする。
【０００６】
プレイモードでは、図１３に実線で示すように、トレイ２が後進ｂしてローダーシャー
シ１内に収納されると共に、ドライブシャーシ６が上動してターンテーブル３とクランパ
２５とでディスクＤがクランプされ、スピンドルモータ４によりターンテーブル３を介し
てディスクＤを高速回転させると共に、フィードモータにより第１ピニオン１９及びラッ
ク２０を介して光ピックアップ５を往復移動させ、対物レンズＯＬからディスクＤにレー
ザ光を投射し、その反射光に基づいてディスクＤに記録されている情報を読み取る。
【０００７】
トレイオープン時には、図１４に示すように、フィードモータにより第１ピニオン１９
及びラック２０を介して光ピックアップ５を前進ａ方向に移動させ、それに連動するトリ
ガー機構（図示せず）を介してカムスライダ８を矢印ｃ方向にスライドさせることにより
、ラック２２を第２ピニオン２１に噛合させ、該第２ピニオン２１を回転させてカムスラ
イダ８を矢印ｃ方向にさらにスライドさせることにより、カム機構９を介してドライブシ
ャーシ６を下動させ、ターンテーブル３上のディスクＤをトレイ２上に移し換える。
【０００８】
その後、ガイドピン１０，１１をガイド溝１２，１３の傾斜面１２ａ，１３ａに押し付
けることにより、トレイ２をわずかに前進ａさせてラック２４を第３ピニオン２３に噛合
させ、フィードモータをタイマ制御で一定時間（例えば２〜５秒）だけ駆動し、第３ピニ
オン及びラック２４を介してトレイ２を前進ａさせ、該トレイ２が最前進位置に達すると
、各突起片１６の前端面１６ａを各Ｌ字片１７の後端面１７ａに当接させて、図１４及び
図１５（ｂ）に示すように、トレイ２を最前進位置で停止させる。トレイイン時には、上
記とは逆の手順で操作が行われる。なお、関連する技術として特許文献１〜３に記載した
ものがある。
【特許文献１】特開２００６−１５５８０７号公報
【特許文献２】特開２００５−３４６８０５号公報
【特許文献３】特開２００５−２９３７９８号公報
【発明の開示】
【発明が解決しようとする課題】
【０００９】
上記従来の構成では、各突起片１６の前端面１６ａを各Ｌ字片１７の後端面１７ａに当
接させたときに比較的大きな衝突音が発生して不快感を与えると共に、フィードモータな
どの駆動系に過大な負荷がかかって故障の原因になるおそれがある。
【００１０】
そこで、特許文献１〜３に示すように、各Ｌ字片１７に相当する停止手段を弾性変位さ
せて衝撃を緩和することが考えられているが、これでも、各停止手段が後進ｂ方向に向か
って延ばされており、該各停止手段により前進ａするトレイ２を一気に停止させることか
ら、衝突音の発生をわずかに小さくすることができる程度であり、根本解決するには至っ
ていない。
【００１１】
また、図１４に仮想線Ｔで示すように、トレイ２を最前進させたときに、第２ピニオン
２１の回転力により、ローダーシャーシ１の中心軸Ｏ１に対してトレイ２の中心軸Ｏ２が
わずかの角度βであるが位置ずれして、該トレイ２が横方向ｅに傾いて外観上の体裁を悪
くしたり、最前進位置のトレイ２を後進ｂさせたときに、該トレイ２の傾きが修正され、
その修正の際に、そのトレイ２が上下動したり横揺れして雑音が発生し、ユーザに不快感
を与えるおそれがある。
【００１２】
本発明は、上記従来の欠点に鑑み、トレイを最前進させたときに傾かせることなく静音
状態で確実に停止させることができるようにしたディスク装置を提供することを目的とし
ている。
【課題を解決するための手段】
【００１３】
上記目的を達成するため、請求項１に記載の発明は、ローダーシャーシの両側板部間に
ディスク載置用トレイが前後進可能に配置され、ターンテーブルと光ピックアップとを搭
載したドライブシャーシがローダーシャーシ内に上下動可能に配置され、該ドライブシャ
ーシとローダーシャーシの前部に前後進方向とは直交する左右方向に沿ってスライド可能
に配置したカムスライダとがカム機構を介して連動連結され、前記カムスライダに突設し
たガイドピンがトレイの裏面に形成したガイド溝に移動可能に係合され、前記トレイの両
側縁後端に一体突設した一対の突起片と、該各突起片に対向してローダーシャーシの各側
板部の前端に一体突設した一対の停止手段とからなるトレイ停止機構が設けられており、
プレイモードで、ターンテーブルにより高速回転させたディスクに記録されている情報を
光ピックアップにより読み取り、トレイオープン時に、前記スライドカムを左右一方向に
スライドさせてカム機構を介してドライブシャーシを下動させた後、前記トレイを前進さ
せ、各突起片を各停止手段に当接させて、該トレイを最前進位置で停止させるようにした
ディスク装置において、前記各停止手段が、根元部をローダーシャーシの各側板部に一体
形成した弾性変位可能な弾性板からなり、該各弾性板の根元部から延びる本体が前進方向
に向かって互いに接近するように傾斜して平面視略ハ字状に形成され、前記各突起片の弾
性板対向面が弾性板の本体に沿って傾斜状に形成され、トレイの両側縁後端の前記突起片
よりも後進側に一体突設した一対の後端片と、該各後端片に対向してローダーシャーシの
各側板部の各弾性板よりも後進側に一体突設した一対のストッパ片とからなる非常停止機
構が設けられており、トレイオープン時に、前記トレイを前進させ、各突起片の傾斜状弾
性板対向面を各弾性板の本体に当接させて、該トレイを最前進位置で停止させ、そのトレ
イが最前進停止位置からさらに前進しようとしたときに、各後端片が各ストッパ片に当接
されて、該トレイの前進を阻止するようにしたことを特徴としている。
【００１４】
請求項２に記載の発明は、ローダーシャーシの両側板部間にディスク載置用トレイが前
後進可能に配置され、ターンテーブルと光ピックアップとを搭載したドライブシャーシが
ローダーシャーシ内に上下動可能に配置され、該ドライブシャーシとローダーシャーシの
前部に前後進方向とは直交する左右方向に沿ってスライド可能に配置したカムスライダと
がカム機構を介して連動連結され、前記カムスライダに突設したガイドピンがトレイの裏
面に形成したガイド溝に移動可能に係合され、前記トレイの両側縁後端に一体突設した一
対の突起片と、該各突起片に対向してローダーシャーシの各側板部の前端に一体突設した
一対の停止手段とからなるトレイ停止機構が設けられており、プレイモードで、ターンテ
ーブルにより高速回転させたディスクに記録されている情報を光ピックアップにより読み
取り、トレイオープン時に、前記スライドカムを左右一方向にスライドさせてカム機構を
介してドライブシャーシを下動させた後、前記トレイを前進させ、各突起片を各停止手段
に当接させて、該トレイを最前進位置で停止させるようにしたディスク装置において、前
記各停止手段が、根元部をローダーシャーシの各側板部に一体形成した弾性変位可能な弾
性板からなり、該各弾性板の根元部から延びる本体が前進方向に向かって互いに接近する
ように傾斜して平面視略ハ字状に形成され、前記各突起片の弾性板対向面が弾性板の本体
に沿って傾斜状に形成されており、トレイオープン時に、前記トレイを前進させ、各突起
片の傾斜状弾性板対向面を各弾性板の本体に当接させて、該トレイを最前進位置で停止さ
せるようにしたことを特徴としている。
【００１５】
請求項３に記載の発明は、請求項２に記載の発明において、前記トレイが最前進停止位
置からさらに前進しようとしたときに、その前進を阻止する非常停止機構が設けられてい
ることを特徴としている。
【００１６】
請求項４に記載の発明は、請求項３に記載の発明において、前記非常停止機構が、トレ
イの両側縁後端の前記突起片よりも後進側に一体突設した一対の後端片と、該各後端片に
対向してローダーシャーシの各側板部の各弾性板よりも後進側に一体突設した一対のスト
ッパ片とからなり、前記トレイが最前進停止位置からさらに前進しようとしたときに、各
後端片が各ストッパ片に当接されて、該トレイの前進を阻止するようにしたことを特徴と
している。
【００１７】
請求項５に記載の発明は、請求項３に記載の発明において、前記非常停止機構が、前記
ガイド溝の後端に対向してトレイの裏面に突設した支軸を中心に回動可能で先端をガイド
溝の側面に当接させることによりその支軸回りで後進方向に回動不能で前進方向にのみ回
動可能な逆止弁を有しており、トレイ装着時にトレイの後端をローダーシャーシの前部に
嵌入させて後進側に押し込んだときに前記ガイドピンにより逆止弁を前進方向に押して該
トレイの後進が許容され、前記トレイが最前進停止位置からさらに前進しようとしたとき
に、ガイドピンに逆止弁が当接されて、トレイの前進を阻止するようにしたことを特徴と
している。
【００１８】
請求項６に記載の発明は、請求項３に記載の発明において、前記非常停止機構が、前記
ガイド溝の後端を閉鎖する閉鎖板と、ガイド溝の後端近傍から分岐して後進方向に延びる
分岐溝とを有しており、トレイ装着時にトレイの後端をローダーシャーシの前部に嵌入さ
せて後進側に押し込むことによりガイドピンが分岐溝を通ってガイド溝内に導入され、前
記トレイが最前進停止位置からさらに前進しようとしたときに、ガイドピンに閉鎖板が当
接されて、トレイの前進を阻止するようにしたことを特徴としている。
【発明の効果】
【００１９】
請求項１に記載の発明は第１の実施の形態（図１〜図３参照）に対応するものであって
、これによれば、各弾性板の本体が前進方向に向かって互いに接近するように傾斜して平
面視略ハ字状に形成されると共に、各突起片の弾性板対向面が弾性板の本体に沿って傾斜
状に形成されているから、トレイオープン時にトレイを最前進させる直前で、各突起片を
各弾性板の本体に当接させることにより、該各突起片が各弾性板に対して押し広げるよう
にして面接触しながら滑るので、その接触の際の衝撃を分散させて、その衝撃音を従来に
比べて格段に小さくして静音化を図ることができる。
【００２０】
また、各突起片により各弾性板を押し広げてトレイがさらに前進しようとしても、各後
端片が各ストッパ片に当接されて、該トレイの前進を阻止するから、そのトレイを所定の
最前進停止位置で確実に停止させることができ、特に、その各後端片及びストッパ片とし
て既存のトレイ停止機構とほぼ同じものが用いられているから、構造が簡単で経済的であ
る。
【００２１】
更に、前記両弾性板によりトレイを両側から弾性的に挟み付けるので、従来のように前
進するトレイが横方向に傾いて外観上の体裁を悪くしたりせず、後進するトレイが横揺れ
して雑音を発生させることもなく、トレイを静かに前後進させることができる。
【００２２】
請求項２に記載の発明は基本形態に対応するものであって、これによれば、各弾性板の
本体が前進方向に向かって互いに接近するように傾斜して平面視略ハ字状に形成されると
共に、各突起片の弾性板対向面が弾性板の本体に沿って傾斜状に形成されているから、ト
レイオープン時にトレイを最前進させる直前で、各突起片を各弾性板の本体に当接させる
ことにより、各突起片が各弾性板に対して押し広げるようにして面接触しながら滑るので
、その接触の際の衝撃を分散させて、その衝撃音を従来に比べて格段に小さくして静音化
を図ることができる。
【００２３】
また、両弾性板によりトレイを両側から弾性的に挟み付けるので、従来のように前進す
るトレイが横方向に傾いて外観上の体裁を悪くしたりせず、後進するトレイが横揺れして
雑音を発生させることもなく、トレイを静かに前後進させることができる。
【００２４】
請求項３に記載の発明によれば、各突起片により各弾性板が押し広げられてトレイがさ
らに前進しようとしても、その前進を非常停止機構により阻止されるので、そのトレイを
所定の最前進停止位置で確実に停止させることができる。
【００２５】
請求項４に記載の発明は第１の実施の形態（図１〜図３参照）に対応するものであって
、これによれば、トレイが最前進位置からさらに前進しようとしたときに、各後端片が各
ストッパ片に当接されて、該トレイの前進を阻止するようになっており、その各後端片及
びストッパ片として既存のトレイ停止機構とほぼ同じものが用いられているから、構造が
簡単で経済的である。
【００２６】
請求項５に記載の発明は第２の実施の形態（図４〜図８参照）に対応するものであって
、これによれば、各突起片により各弾性板を押し広げてトレイがさらに前進しようとして
も、逆止弁がガイドピンに当接されて、そのトレイの前進を阻止するようになっており、
既存のトレイの裏面に逆止弁を追加するだけでよいから、比較的構造が簡単で経済的であ
る。また、トレイ装着時には、トレイの後端をローダーシャーシの前部に嵌入させて後進
側に押し込むだけで、ガイドピンにより逆止弁を前進方向に押して該トレイの後進が許容
されるので、そのトレイをローダーシャーシに対して簡単に装着することができる。
【００２７】
請求項６に記載の発明は第３の実施の形態（図９〜図１２参照）に対応するものであっ
て、これによれば、各突起片により各弾性板を押し広げてトレイがさらに前進しようとし
ても、閉鎖板がガイドピンに当接されて、そのトレイの前進を阻止するようになっており
、既存のトレイの裏面に閉鎖板と分岐溝とを追加するだけでよいから、比較的構造が簡単
で経済的である。また、トレイ装着時には、トレイの後端をローダーシャーシの前部に嵌
入させて後進側に押し込むだけで、ガイドピンが分岐溝を通ってガイド溝に導入されて該
トレイの後進が許容されるので、そのトレイをローダーシャーシに対して簡単に装着する
ことができる。
【発明を実施するための最良の形態】
【００２８】
図１〜図３は第１の実施の形態であるディスク装置を示すものであって、図１は同プレ
イモード状態を示す平面図、図２は同トレイオープン状態を示す一部切欠き平面図、図３
（ａ）は同トレイ最前進直前状態の要部の拡大平面図、図３（ｂ）は同トレイ最前進状態
の要部の拡大平面図、図３（ｃ）は同要部の分解斜視図である。
【００２９】
図１〜図３に示すように、これはＤＶＤプレーヤであって、トレイ停止機構１５が、ト
レイ２の両側縁後端に一体突設した一対の突起片２８と、該各突起片２８に対向して根元
部２９ａをローダーシャーシ１の各側板部１ａの前端に一体形成した弾性変位可能な一対
の弾性板（停止手段）２９とからなり、該各弾性板２９の根元部２９ａから延びる本体２
９ｂが前進ａ方向に向かって互いに接近するように傾斜して平面視略ハ字状に形成され、
その各弾性板２９の本体２９ｂから延びる先端部２９ｃが前進ａ方向に向かって互いに離
間するように外広がり傾斜状に形成され、前記各突起片２８の弾性板対向面２８ａが弾性
板２９の本体２９ｂに沿って傾斜されている。
【００３０】
図１〜図３に示すように、トレイ２を最前進状態位置で非常停止させるための非常停止
機構３１が設けられており、この例では、トレイ２の両側縁後端の前記突起片２８よりも
後進ｂ側に一体突設した一対の後端片３２と、該各後端片３２に対向して各弾性板２９の
根元部２９ａから分岐して後進ｂ方向に延びるストッパ片３３とからなっており、図３（
ｂ）に示すように、トレイ停止機構１５によりトレイ２を最前進位置で停止させたときに
、後端片３２の端面３２ａとストッパ片３３の端面３３ａとの間にわずかな間隙αが生じ
るようにしている。上記以外の構成は図１３〜図１５に示す構成とほぼ同じであるから、
同一部分に同一符号を付してその説明を省略する。
【００３１】
図１に実線で示すプレイモードから図２に示すトレイオープンにモードを切り換えると
、トレイ２を前進ａさせ、各突起片２８の弾性板対向面２８ａを弾性板２９の本体２９ｂ
に当接させることにより、図２及び図３（ｂ）に示すように、トレイ２を最前進位置で停
止させる。
【００３２】
前記トレイ２が最前進停止位置からさらに前進ａしようとしたときには、各後端片３２
が各ストッパ片３３に当接されて、該トレイ２の前進ａを阻止する。
【００３３】
上記構成によれば、トレイオープン時にトレイ２を最前進させる直前で、各突起片２８
の弾性板対向面２８ａを各弾性板２９の本体２９ｂに当接させることにより、各突起片２
８が各弾性板２９に対して押し広げるようにして面接触しながら滑るので、その接触の際
の衝撃を分散させて、その衝撃音を従来に比べて格段に小さくして静音化を図ることがで
きる。
【００３４】
また、各突起片２８により各弾性板２９を押し広げてトレイ２がさらに前進ａしようと
しても、各後端片３２が各ストッパ片３３に当接されて、該トレイ２の前進ａを阻止する
から、そのトレイ２を所定の最前進停止位置で確実に停止させることができ、特に、その
各後端片３２及びストッパ片３３として既存のトレイ停止機構１５の突起片１６及びＬ字
片１７（図１３〜図１５参照）とほぼ同じものが用いられているから、構造が簡単で経済
的である。
【００３５】
更に、両弾性板２９によりトレイ２を両側から弾性的に挟み付けるので、従来のように
前進ａするトレイ２が横方向に傾いて外観上の体裁を悪くしたりせず（図１４仮想線参照
）、後進ｂするトレイ２が横揺れして雑音を発生させることもなく、トレイ２を静かに前
後進ａ，ｂさせることができる。
【００３６】
図４〜図８は第２の実施の形態であるディスク装置を示すものであって、図４は同トレ
イオープン状態を示す一部切欠き平面図、図５（ａ）は同トレイ最前進直前状態の要部の
拡大平面図、図５（ｂ）は同トレイ最前進状態の要部の拡大平面図、図５（ｃ）は同要部
の分解斜視図、図６は同トレイの裏面側斜視図、図７（ａ）は同トレイの要部拡大裏面図
、図７（ｂ）はＡ−Ａ矢視図、図８（ａ）及び（ｂ）は同トレイの装着手順を示す要部の
平面図である。
【００３７】
図５に示すように、トレイ停止機構１５の構成は第１の実施の形態（図１〜図３参照）
とほぼ同じであるから、同一部分に同一符号を付してその説明を省略する。
【００３８】
図６及び図７に示すように、非常停止機構３１は逆止弁３５を有し、該逆止弁３５が、
ガイド溝１２の後端に対向してトレイ２の裏面に突設した支軸３５ａと、該支軸３５ａに
一体形成した弁本体３５ｂとからなり、その支軸３５ａに沿って弁本体３５ｂの基端部に
凹溝３６を形成することにより、該弁本体３５ｂが支軸３５ａ回りで回動可能に形成され
、支軸３５ａの中心から弁本体３５ｂの先端３７までの幅Ｌ１を支軸３５ａからガイド溝
１２の側面までの距離Ｌ２よりも大きく設定することにより（Ｌ１＞Ｌ２）、弁本体３５
ｂの先端３７をガイド板１２Ａの側面に当接させるようになっており、これによって、逆
止弁３５が支軸３５ａ回りで後進ｂ方向に回動不能で前進ａ方向にのみ回動可能に形成さ
れている。上記以外の構成は第１の実施の形態（図１〜図３参照）とほぼ同じであるから
、同一部分に同一符号を付してその説明を省略する。
【００３９】
トレイ２の装着手順を説明すると、図８（ａ）に示すように、トレイ２の後端をローダ
ーシャーシ１の前部に嵌入させ、該トレイ２を後進ｂ側に押し込む。これにより、図７（
ａ）の仮想線及び図８（ｂ）に示すように、ガイドピン１０により逆止弁３５を前進ａ方
向に押して該トレイ２の後進ｂが許容され、トレイ２をローダーシャーシ１内に収納させ
る。
【００４０】
トレイオープン時には、トレイ２を前進ａさせ、各突起片２８の弾性板対向面２８ａを
弾性板２９の本体２９ｂに当接させることにより、図４及び図５（ｂ）に示すように、ト
レイ２を最前進位置で停止させる。
【００４１】
トレイ２が最前進停止位置からさらに前進ａしようとしたときには、図７（ａ）に実線
で示すように、逆止弁３５がガイドピン１０に当接されて、該トレイ２の前進ａを阻止す
る。
【００４２】
上記構成によれば、各突起片２８により各弾性板２９を押し広げてトレイ２がさらに前
進ａしようとしても、逆止弁３５がガイドピン１０に当接されて、そのトレイ２の前進ａ
を阻止するようになっており、既存のトレイ２の裏面に逆止弁３５を追加するだけでよい
から、比較的構造が簡単で経済的である。また、トレイ装着時には、トレイ２の後端をロ
ーダーシャーシ１の前部に嵌入させて後進ｂ側に押し込むだけで、ガイドピン１０により
逆止弁３５を前進ａ方向に押して該トレイ２の後進が許容されるので、そのトレイ２をロ
ーダーシャーシ１に対して簡単に装着することができる。
【００４３】
図９〜図１２は第３の実施の形態であるディスク装置を示すものであって、図９は同ト
レイオープン状態を示す一部切欠き平面図、図１０は同トレイの裏面側斜視図、図１１（
ａ）は同トレイの要部拡大裏面図、図１１（ｂ）はＢ−Ｂ矢視図、図１２（ａ）及び（ｂ
）は同トレイの装着手順を示す要部の平面図である。
【００４４】
図１０及び図１１に示すように、トレイ２の裏面に互いに平行して一体突設した一対の
ガイド板１２Ａ，１２Ｂ間にガイド溝１２が形成され、非常停止機構３１は、ガイド溝１
２の後端を閉鎖する閉鎖板３９と、ガイド溝１２の後端近傍から分岐して後進ｂ方向に延
びる分岐溝４０とを有し、ガイド溝１２と分岐溝４０との間の分岐壁４１のガイド溝側面
４１ａをガイド板１２Ｂの内側面１２ｂよりも所定間隔ｈだけ外側に後退させることによ
り、ガイド溝１２内を前後進ａ，ｂするガイドピン１０が分岐溝４０に不測に入り込まな
いようにしている。上記以外の構成は第２の実施の形態（図４〜図８参照）とほぼ同じで
あるから、同一部分に同一符号を付してその説明を省略する。
【００４５】
トレイ２の装着手順を説明すると、図１２（ａ）に示すように、カムスライダ８を矢印
ｄ方向にスライドさせてガイドピン１０を分岐溝４０に対向させ、トレイ２の後端をロー
ダーシャーシ１の前部に嵌入させ、該トレイ２を後進ｂ側に押し込む。これにより、図１
１（ａ）の仮想線及び図１２（ｂ）に示すように、ガイドピン１０が分岐溝４０を通って
ガイド溝１２内に導入され、トレイ２をローダーシャーシ１内に収納させる。
【００４６】
トレイオープン時には、トレイ２を前進ａさせ、各突起片２８の弾性板対向面２８ａを
弾性板２９の本体２９ｂに当接させることにより、図９に示すように、トレイ２を最前進
位置で停止させる。
【００４７】
トレイ２が最前進停止位置からさらに前進ａしようとしたときには、図１１（ａ）に実
線で示すように、閉鎖板３９がガイドピン１０に当接されて、該トレイ２の前進ａを阻止
する。
【００４８】
上記構成によれば、各突起片２８により各弾性板２９を押し広げてトレイ２がさらに前
進ａしようとしても、閉鎖板３９がガイドピン１０に当接されて、そのトレイ２の前進ａ
を阻止するようになっており、既存のトレイ２の裏面に閉鎖板３９と分岐溝４０とを追加
するだけでよいから、比較的構造が簡単で経済的である。また、トレイ装着時には、トレ
イ２の後端をローダーシャーシ１の前部に嵌入させて後進ｂ側に押し込むだけで、ガイド
ピン１０が分岐溝４０を通ってガイド溝１２に導入されて該トレイ２の後進ｂが許容され
るので、そのトレイ２をローダーシャーシ１に対して簡単に装着することができる。
【図面の簡単な説明】
【００４９】
【図１】本発明の第１の実施の形態であるディスク装置におけるプレイモード状態を示す平面図である。
【図２】同トレイオープン状態を示す一部切欠き平面図である。
【図３】（ａ）は同トレイ最前進直前状態の要部の拡大平面図、（ｂ）は同トレイ最前進状態の要部の拡大平面図、（ｃ）は同要部の分解斜視図である。
【図４】本発明の第２の実施の形態であるディスク装置におけるトレイオープン状態を示す一部切欠き平面図である。
【図５】（ａ）は同トレイ最前進直前状態の要部の拡大平面図、（ｂ）は同トレイ最前進状態の要部の拡大平面図、（ｃ）は同要部の分解斜視図である。
【図６】同トレイの裏面側斜視図である。
【図７】（ａ）は同トレイの要部拡大裏面図、（ｂ）はＡ−Ａ矢視図である。
【図８】（ａ）及び（ｂ）は同トレイの装着手順を示す要部の平面図である。
【図９】本発明の第３の実施の形態であるディスク装置におけるトレイオープン状態を示す一部切欠き平面図である。
【図１０】同トレイの裏面側斜視図である。
【図１１】（ａ）は同トレイの要部拡大裏面図、（ｂ）はＢ−Ｂ矢視図である。
【図１２】（ａ）及び（ｂ）は同トレイの装着手順を示す要部の平面図である。
【図１３】従来例におけるプレイモード状態を示す平面図である。
【図１４】同トレイオープン状態を示す一部切欠き平面図である。
【図１５】（ａ）は同トレイ最前進直前状態の要部の拡大平面図、（ｂ）は同トレイ最前進状態の要部の拡大平面図、（ｃ）は同要部の分解斜視図である。
【符号の説明】
【００５０】
１        ローダーシャーシ
２        トレイ
３        ターンテーブル
５        光ピックアップ
６        ドライブシャーシ
８        カムスライダ
１０      ガイドピン
１２      ガイド溝
１５      トレイ停止機構
２８      突起片
２９      弾性板（停止手段）
２９ａ    弾性板の根元部
２９ｂ    弾性板の本体
３１      非常停止機構
３２      後端片
３３      ストッパ片
３５      逆止弁
３９      閉鎖板
４０      分岐溝
【図１】
2008130145.tif 000003
【図２】
2008130145.tif 000004
【図３】
2008130145.tif 000005
【図４】
2008130145.tif 000006
【図５】
2008130145.tif 000007
【図６】
2008130145.tif 000008
【図７】
2008130145.tif 000009
【図８】
2008130145.tif 000010
【図９】
2008130145.tif 000011
【図１０】
2008130145.tif 000012
【図１１】
2008130145.tif 000013
【図１２】
2008130145.tif 000014
【図１３】
2008130145.tif 000015
【図１４】
2008130145.tif 000016
【図１５】
2008130145.tif 000017